(57)【要約】【課題】長期保存に有効なデータ記録が可能な情報記録方法を提供すること。【解決手段】記録メディアに対するファイナライズにおいて、第１エラーレート以上の第１低品位記録データを空きエリアへ記録する情報記録方法は、前記記録メディアの記録エリアから記録データを読み出し、所定データ単位で前記記録データのエラーレートを測定し、前記測定手段によるエラーレートの測定結果に基づき前記第１低品位記録データを検出し、前記第１低品位記録データのエラーを訂正し、前記第１低品位記録データに対応するエラー訂正済み記録データを前記記録メディアの空きエリアの予備記録位置へ記録し、前記第１低品位記録データの記録位置のアドレスと前記エラー訂正済み記録データが記録された前記予備記録位置のアドレスとを対応付けて管理した記録管理情報を前記空きエリアの管理データ記録位置へ記録する。【選択図】図３
2011014189.tif 000002
【特許請求の範囲】
【請求項１】
記録メディアに対するファイナライズにおいて、第１エラーレート以上の第１低品位記録データを空きエリアへ記録する情報記録装置であって、
前記記録メディアの記録エリアから記録データを読み出す読出手段と、
所定データ単位で前記記録データのエラーレートを測定する測定手段と、
前記測定手段によるエラーレートの測定結果に基づき前記第１低品位記録データを検出する検出手段と、
前記第１低品位記録データのエラーを訂正し、前記第１低品位記録データに対応したエラー訂正済み記録データを前記記録メディアの空きエリアの予備記録位置へ記録し、前記第１低品位記録データの記録位置のアドレスと前記エラー訂正済み記録データが記録された前記予備記録位置のアドレスとを対応付けて管理した記録管理情報を前記空きエリアの管理データ記録位置へ記録する記録手段と、
を備えたことを特徴とする情報記録装置。
【請求項２】
前記測定手段は、前記第１エラーレート以下の第２エラーレートを記憶し、前記第２エラーレート以上の第２低品位記録データの記録位置のアドレスと前記第２低品位記録データのエラーレートとを対応付けた低品位管理情報を生成し、
前記検出手段は、前記低品位管理情報に含まれた前記第２低品位記録データのエラーレートが前記第１エラーレート以上であれば、前記第２低品位記録データを前記第１低品位記録データとして検出する、
ことを特徴とする請求項１に記載の情報記録装置。
【請求項３】
前記測定手段は、前記第２低品位記録データの記録位置のアドレスとサイズと、前記第２低品位記録データのエラーレートとを対応付けた低品位管理情報を生成し、
前記低品位管理情報及び前記空きエリアのサイズに基づき、前記第１エラーレート以下の前記第１低品位記録データのサイズが前記空きエリアのサイズ以下になるように、前記第１エラーレートを決定する決定手段を備えたことを特徴とする請求項２に記載の情報記録装置。
【請求項４】
前記第１エラーレートを指定する指定手段を備えたことを特徴とする請求項１に記載の情報記録装置。
【請求項５】
前記第１低品位記録データのサイズ及び前記空きエリアのサイズの比較結果から、前記空きエリアのサイズが不足していることが判明した場合に、前記第１エラーレートの変更を要求する要求手段を備えたことを特徴とする請求項４に記載の情報記録装置。
【請求項６】
前記記録手段は、前記記録メディアに記録された前記第１低品位記録データを別の記録メディアへ記録する場合、前記記録メディアに記録された前記記録管理情報を参照し、前記第１低品位記録データに対応した前記エラー訂正済み記録データを前記別の記録メディアへ記録することを特徴とする請求項１に記載の情報記録装置。
【請求項７】
前記記録手段は、前記記録メディアに記録された前記第１低品位記録データを別の記録メディアへ記録する場合であって、前記第１低品位記録データの読み取り結果が所定条件を満たさない場合に、前記記録メディアに記録された前記記録管理情報を参照し、前記第１低品位記録データに対応した前記エラー訂正済み記録データを前記別の記録メディアへ記録することを特徴とする請求項１に記載の情報記録装置。
【請求項８】
前記記録メディアに記録された前記記録管理情報に含まれた前記第１低品位記録データの記録位置のアドレスを参照し、前記第１低品位記録データを読み取り、前記第１低品位記録データの読み取り結果から劣化状況を判定する劣化判定手段を備えたことを特徴する請求項２に記載の情報記録装置。
【請求項９】
記録メディアの第１記録エリアは、第１エラーレート以上の第１低品位記録データを含み、前記記録メディアの第２記録エリアは、前記第１低品位記録データに対応したエラー訂正済み記録データを含み、さらに前記第２記録エリアは、前記第１低品位記録データが記録された第１記録エリアの第１アドレスと前記エラー訂正済み記録データが記録された第２記録エリアの第２アドレスとを対応付けて管理した記録管理情報を含み、前記記録メディアから記録データを読み取る情報読取装置であって、
前記記録メディアから前記記録管理情報を読み取り、前記記録管理情報に基づき前記第１低品位記録データを読み取り、前記第１低品位記録データの読取結果が所定条件を満たさない場合に、前記第１アドレスを前記第２アドレスへ置き換えて管理するアドレス管理手段と、
前記記録メディアから記録データを読み取る際に、前記アドレス管理手段により置き換え管理された前記第２アドレスを利用し、前記記録メディアから記録データを読み取る読取手段と、
を備えたことを特徴とする情報読取装置。
【請求項１０】
記録メディアに対するファイナライズにおいて、第１エラーレート以上の第１低品位記録データを空きエリアへ記録する情報記録方法であって、
前記記録メディアの記録エリアから記録データを読み出し、
所定データ単位で前記記録データのエラーレートを測定し、
前記測定手段によるエラーレートの測定結果に基づき前記第１低品位記録データを検出し、
前記第１低品位記録データのエラーを訂正し、
前記第１低品位記録データに対応するエラー訂正済み記録データを前記記録メディアの空きエリアの予備記録位置へ記録し、
前記第１低品位記録データの記録位置のアドレスと前記エラー訂正済み記録データが記録された前記予備記録位置のアドレスとを対応付けて管理した記録管理情報を前記空きエリアの管理データ記録位置へ記録する、
ことを特徴とする情報記録方法。
【発明の詳細な説明】
【技術分野】
【０００１】
本発明は、ファイナライズにより記録データを固定化する情報記録装置及び情報記録方法に関する。
【背景技術】
【０００２】
ダビングにより一度記録された情報信号が正しく記録されているか否かを確認し、情報信号にエラーがある場合には、それを正して、情報信号を確実に正しく記録するデータ記録装置が開示されている（特許文献１参照）。
【０００３】
例えば、データ記録装置が、ＣＤのデータを読み取り、読み取ったＣＤのデータをＨＤへ書き込んだ後、ＨＤから書き込んだデータを読み出して、読み出したデータとＣＤのデータとを比較し、エラーの有無を判別し、エラーデータをＣＤのデータで書き換える。このデータ記録装置により、ダビング時の記録信頼性が向上する。
【先行技術文献】
【特許文献】
【０００４】
【特許文献１】特開２００２−１１７６１８号公報
【発明の概要】
【発明が解決しようとする課題】
【０００５】
上記したダビング時に限らず、各社メーカは、デジタルデータの信頼性をより高めようとしている。例えば、ＣＤ、ＤＶＤ、ＨＤＤＶＤ、ＢＤなどの記録メディアは経年劣化することが知られており、これにより、これら記録メディアに記録されたデータが正しく読み出せなくなることがある。
【０００６】
上記特許文献１に開示された技術は、ダビング時の記録信頼性の向上に貢献するものの、上記したような経年劣化には有効とは言えない。
【０００７】
本発明の目的は、長期保存に有効なデータ記録が可能な情報記録装置及び情報記録方法を提供することにある。また、本発明の目的は、長期保存に有効形式で記録されたデータの読み取りに優れた情報読取装置を提供することにある。
【課題を解決するための手段】
【０００８】
本発明の一実施形態に係る情報記録装置は、記録メディアに対するファイナライズにおいて、第１エラーレート以上の第１低品位記録データを空きエリアへ記録する情報記録装置であって、
前記記録メディアの記録エリアから記録データを読み出す読出手段と、所定データ単位で前記記録データのエラーレートを測定する測定手段と、前記測定手段によるエラーレートの測定結果に基づき前記第１低品位記録データを検出する検出手段と、前記第１低品位記録データのエラーを訂正し、前記第１低品位記録データに対応したエラー訂正済み記録データを前記記録メディアの空きエリアの予備記録位置へ記録し、前記第１低品位記録データの記録位置のアドレスと前記エラー訂正済み記録データが記録された前記予備記録位置のアドレスとを対応付けて管理した記録管理情報を前記空きエリアの管理データ記録位置へ記録する記録手段と、を備えている。
【０００９】
本発明の一実施形態に係る情報読取装置は、記録メディアから記録データを読み取る装置であって、
前記記録メディアの第１記録エリアは、第１エラーレート以上の第１低品位記録データを含み、前記記録メディアの第２記録エリア（空きエリア）は、前記第１低品位記録データに対応したエラー訂正済み記録データを含み、さらに前記第２記録エリアは、前記第１低品位記録データが記録された第１記録エリアの第１アドレスと前記エラー訂正済み記録データが記録された第２記録エリアの第２アドレスとを対応付けて管理した記録管理情報を含み、
前記情報読取装置は、前記記録メディアから前記記録管理情報を読み取り、前記記録管理情報に基づき前記第１低品位記録データを読み取り、前記第１低品位記録データの読取結果が所定条件を満たさない場合に、前記第１アドレスを前記第２アドレスへ置き換えて管理するアドレス管理手段と、前記記録メディアから記録データを読み取る際に、前記アドレス管理手段により置き換え管理された前記第２アドレスを利用し、前記記録メディアから記録データを読み取る読取手段と、を備えている。
【００１０】
本発明の一実施形態に係る情報記録方法は、記録メディアに対するファイナライズにおいて、第１エラーレート以上の第１低品位記録データを空きエリアへ記録する情報記録方法であって、
前記記録メディアの記録エリアから記録データを読み出し、所定データ単位で前記記録データのエラーレートを測定し、前記測定手段によるエラーレートの測定結果に基づき前記第１低品位記録データを検出し、前記第１低品位記録データのエラーを訂正し、前記第１低品位記録データに対応するエラー訂正済み記録データを前記記録メディアの空きエリアの予備記録位置へ記録し、前記第１低品位記録データの記録位置のアドレスと前記エラー訂正済み記録データが記録された前記予備記録位置のアドレスとを対応付けて管理した記録管理情報を前記空きエリアの管理データ記録位置へ記録する。
【発明の効果】
【００１１】
本発明によれば、長期保存に有効なデータ記録が可能な情報記録装置及び情報記録方法を提供できる。また、本発明によれば、長期保存に有効形式で記録されたデータの読み取りに優れた情報読取装置を提供できる。
【図面の簡単な説明】
【００１２】
【図１】本発明の一実施形態に係る映像記録再生装置の概略構成を示すブロック図である。
【図２】２重化記録処理制御モジュールの概略構成を示す図である。
【図３】第１の２重化記録処理の一例を示すフローチャートである。
【図４】上級ユーザ向けエラーレート指定画面の一例を示す図である。
【図５】一般ユーザ向けエラーレート指定画面の一例を示す図である。
【図６】２重化記録処理が適用されていない記録メディアのダビング処理の一例を示すフローチャートである。
【図７】２重化記録処理が適用された記録メディアのダビング処理の一例を示すフローチャートである。
【図８】２重化記録処理が適用されていない記録メディアの再生処理の一例を示すフローチャートである。
【図９】２重化記録処理が適用された記録メディアの再生処理の一例を示すフローチャートである。
【図１０】２重化登録情報の一例を示す図である。
【図１１】再生不能場所置換え管理情報の使用例を示す図である。
【図１２】２重化記録データ及び２重化登録情報の管理の一例を示す図である。
【図１３】記録品位チェックの一例を示すフローチャートである。
【図１４】低品位管理情報の一例を示す図である。
【図１５】第１の劣化チェックの一例を示すフローチャートである。
【図１６】第２の劣化チェックの一例を示すフローチャートであ
【図１７】第１の２重化記録処理の一例を示すフローチャートである。
【発明を実施するための形態】
【００１３】
以下、図面を参照し、本発明の実施形態について説明する。
【００１４】
図１は、本発明の一実施形態に係る映像記録再生装置の概略構成を示すブロック図である。
【００１５】
図１に示すように、映像記録再生装置１００は、本体キー入力部１、本体表示部３、サブ制御モジュール４、メイン制御モジュール５、電源部６、データ蓄積部７、チューナー部８、光ディスクドライブ９、ＨＤＤ（ハードディスクドライブ）１０を備えている。
【００１６】
サブ制御モジュール４は、本体キー入力検出モジュール４１、リモートコントローラキー入力検出モジュール４２、電源制御モジュール４３、表示制御モジュール４４を備えている。また、メイン制御モジュール５は、記録再生処理モジュール５１、映像、音声処理モジュール５２、映像音声入出力制御モジュール５３を備えている。メイン制御モジュール５は、本体表示部３により表示すべき表示データを表示制御モジュール４４へ送信する。表示制御モジュール４４は、表示データに基づき本体表示部３を制御する。これにより、本体表示部３は表示データに対応するキャラクター（文字列）等を表示することができる。
【００１７】
例えば、本体キー入力部１は、電源キー、予約キー、設定キー、取出しキーなどが設けられている。ユーザは、本体キー入力部１に対する入力操作により、映像記録再生装置１００の動作を制御することができる。
【００１８】
電源キーは、映像記録再生装置１００の電源オン／オフを指示するためのキーである。電源キーが押下されると、電源キーの押下がサブ制御モジュール４の本体キー入力検出モジュール４１により検出され、サブ制御モジュール４の電源制御モジュール４３が電源部６に対して電源オン／オフの切り替えを通知する。電源部６は、電源オフ状態であれば電源をオンし、電源オン状態であれば電源をオフする。
【００１９】
予約キーは、映像記録再生装置１００の電源オン状態では録画予約モードの実行を指示し、映像記録再生装置１００の電源オフ状態では電源オンと録画予約モードの実行を指示する。予約キーは、録画予約モードの実行状態では録画予約モードの終了と電源オフとを指示する。
【００２０】
設定キーは、上下方向キー、左右方向キー、決定キー等により構成されており、録画予約情報の設定、後述する２重化記録処理の各種設定等に利用される。設定キー（上下方向キー、左右方向キー、決定キー）が押下されると、設定キーの押下がサブ制御モジュール４の本体キー入力検出モジュール４１により検出され、サブ制御モジュール４は設定キーの押下に対応した指示をメイン制御モジュール５へ通知する。
【００２１】
取出しキーは、光ディスクドライブ９の光ディスクトレイの出し入れを指示するためのキーである。取出しキーの押下に対応して、光ディスクトレイが排出されたり、取り込まれたりする。取出しキーの押下に対応した信号処理の詳細については上記と同様であり、ここではその詳細説明は省略する。
【００２２】
光ディスクドライブ９は、例えば、ＣＤ、ＤＶＤ、ＨＤＤＶＤ、ＢＤなどの記録メディアに対してデータを記録したり、これら記録メディアに記録されたデータを読み出したりすることができる。
【００２３】
上記した本体キー入力部１の他に、ユーザは、リモートコントローラ２に対する入力操作により、映像記録再生装置１００の動作を制御することもできる。
【００２４】
映像、音声処理モジュール５２は、例えば早戻しの指示に基づき再生中の番組の早戻しを制御し、再生指示に基づき選択した番組の再生を制御し、早送りの指示に基づき再生中の番組の早送りを制御し、停止指示に基づき番組の再生の停止を制御し、一時停止指示に基づき番組の再生の一時停止を制御する。記録再生処理モジュール５１は、録画の指示に基づき選局中の番組の録画を制御したり、録画された番組の再生を制御したりする。録画先は、光ディスクドライブ９のＤＶＤ、又はＨＤＤドライブ１０のＨＤなどである。また、記録再生処理モジュール５１は、後述する２重化記録処理、ダビング、及び２重化記録処理が適用された記録メディアの再生処理を制御する。映像、音声入出力制御モジュール５３は、チューナー部８、光ディスクドライブ９、ＨＤＤドライブから入力される映像、音声信号の入出力を制御する。
【００２５】
次に、映像記録再生装置１００による２重化記録処理について説明する。ＣＤ、ＤＶＤ、ＨＤＤＶＤ、ＢＤなどの記録メディアは経年劣化することが知られている。これら記録メディアに記録されるデータはエラー訂正コード等を含み、これら記録メディアから読み出されたデータに含まれた多少のエラーは、エラー訂正コードにより訂正することができる。しかしながら、経年劣化により、これら記録メディアに記録されたデータのエラーレートが増大し、エラー数がエラー訂正コードによるエラー訂正能力の許容範囲を超えると、これら記録メディアに記録されたデータが正しく読み出せなくなる。例えば、ダビング直後の記録メディアからデータが正しく読み出せたとしても、経年劣化により全体的にエラーレートが増大すると、数年後には記録メディアからデータが正しく読み出せなくなることもある。経年劣化により正しく読み出せなくなるデータは、データ記録時点で既に記録品位が低い傾向にある。なお、上記した正しく読み出せないデータとはデータに含まれているエラーを全て訂正することができないデータである。これに対して正しく読み出せるデータとは仮にデータにエラーが含まれていたとしても、含まれているエラーを全て訂正することができるデータである。
【００２６】
そこで、映像記録再生装置１００は、記録メディアに対するデータ記録時（ファイナライズ時）に、記録メディアの記録エリアに記録されたデータの中から低品位記録データを検出し、記録メディアの空きエリアにこの低品位記録データを記録する。低品位記録データとは、エラーレートの高いデータである。つまり、映像記録再生装置１００は、本来の記録エリアに低品位記録データを記録したまま、空きエリアには低品位記録データに対応したエラー訂正済み記録データを記録する。これにより、将来、本来の記録エリアから低品位記録データが読み出せなくなっても、この低品位記録データを空きエリアに記録されたエラー訂正済み記録データで補償することができる。このようなデータ補償の仕組みがない場合、低品位記録データは、ブロックノイズを含む再生データとして出力されてしまうこともある。上記したようなデータ補償の仕組みにより、ブロックノイズを低減することができる。
【００２７】
なお、本実施形態では、データ補償の一例として２重化記録について説明するが、２重に限らず、３重記録、４重記録などの多重記録でデータを補償するようにしてもよい。
【００２８】
図２は、２重化記録処理制御モジュールの概略構成を示す図である。例えば、図２に示す２重記録処理制御モジュール５１０は、記録再生処理モジュール５１に含まれる。
【００２９】
空きエリアサイズ算出モジュール５１１は、記録メディアの残量である空きエリアのサイズを算出する。記録品位確認モジュール５１２は、記録メディアに記録された全てのデータ又は指定範囲のデータの記録品位を検出する。エラーレート指定モジュール５１３は、本体キー入力部１又リモートコントローラ２により選択又は設定されたエラーレートを指定する。この指定された指定エラーレート（以下、第１エラーレートと称する）以上の第１低品位記録データが、２重化記録の対象となる。
【００３０】
低品位データ管理モジュール５１４は、上記した第１エラーレート以下の第２エラーレートを記憶し、この第２エラーレート以上の第２低品位記録データに関する情報を管理する。例えば、低品位データ管理モジュール５１４は、第２エラーレート以上の第２低品位記録データの記録位置を示すアドレスと第２低品位記録データのエラーレートとを対応付けた低品位管理情報を管理する。或いは、低品位データ管理モジュール５１４は、第２エラーレート以上の第２低品位記録データの記録位置を示す先頭アドレス及びレングスと第２低品位記録データのエラーレートとを対応付けた低品位管理情報を管理する。後者の低品位管理情報は、例えば、第２低品位記録データのサイズを検出する必要がある場合に利用される
２重化記録モジュール５１６は、空きエリアに対して第１低品位記録データに対応したエラー訂正済み記録データを記録する。２重化記録管理モジュール５１５は、空きエリアに対して２重化登録情報（記録管理情報）を記録する。２重化登録情報は、第１低品位記録データの記録位置のアドレスと空きエリアに記録されたエラー訂正済み記録データのアドレスとを対応付けたデータである。ファイナライズモジュール５１７は、記録メディアに対してファイナライズを実行する。
【００３１】
再生／ダビング制御モジュール５１９は、例えば、再生前に、２重化登録情報に登録された本来の記録エリアから記録データが読み出せるかチェックし、本来の記録エリアから記録データが正しく読み出せなければ、本来の記録エリアのアドレスを、対応する空きエリアのアドレスに置き換えておく。再生／ダビング制御モジュール５１９は、アドレス置換されていないエリアについては本来の記録エリアから記録データを読み出し、アドレス置換されているエリアについては空きエリアから記録データを読み出し、これら読み出した記録データを再生する。
【００３２】
また、再生／ダビング制御モジュール５１９は、例えば、ファイナライズ又はダビング実行時に、空きエリアに対する第１低品位記録データに対応したエラー訂正済み記録データの記録、及び空きエリアに対する２重化登録情報の記録を制御する。
【００３３】
また、劣化チェックモジュール５１８は、劣化チェックモード実行時に、２重化登録情報に登録された本来の記録エリアから第１低品位記録データが正しく読み出せるかチェックし、第１低品位記録データが正しく読み出せる場合には、読み出した第１低品位記録データの読み取り結果から劣化状況を判定する。つまり、劣化チェックモジュール５１８は、読み出した第１低品位記録データのエラーレートをチェックし、第１低品位記録データのエラーレートが、バックアップを必要とする所定エラーレートを超えている場合、つまり第１低品位記録データの品位が悪化している場合、バックアップ要求を出力する。これに対応して、モニター２００には、バックアップを促す警告画面が表示される。
【００３４】
次に、図３を参照して、第１の２重化記録処理を説明する。本実施形態では、ファイナライズにおいて２重化記録処理を実行するケースについて説明する。
【００３５】
２重化記録が指定されていなければ（ＳＴ１１、ＮＯ）、つまり、映像記録再生装置１００が、２重化記録を実行しないように設定されていれば、通常のファイナライズ処理が実行される（ＳＴ１８)。この場合、２重化記録処理は実行されない。２重化記録が指定されていれば（ＳＴ１１、ＹＥＳ）、つまり、映像記録再生装置１００が、２重化記録を実行するように設定されていれば、ファイナライズにおいて２重化記録処理が実行される。
【００３６】
上記したように、２重化記録が指定されていれば（ＳＴ１１、ＹＥＳ）、空きエリアサイズ算出モジュール５１１は、記録メディアの残量である空きエリアのサイズを算出する。追記型メディアの場合、現在の記録場所からディスクの終端までの未記録エリアのサイズが空きエリアサイズとして算出される。オーバライト型メディアの場合、空きエリアを管理するBITMAPテーブルにより空きエリアサイズが算出される。
【００３７】
空きエリアが全く無い場合又は空きエリアのサイズが所定サイズより小さい場合は（ＳＴ１２、ＮＯ）、空きエリアサイズ算出モジュール５１１は、空きエリア不足を通知する。これに対応して、モニタ２００には、空きエリア不足により２重化記録処理が実行できない旨の案内が表示される。この場合、２重化記録処理は実行されず、通常のファイナライズ処理が実行される（ＳＴ１８)。
【００３８】
２重化記録処理のための空きエリアを確保することができる場合には（ＳＴ１２、ＹＥＳ）、記録品位確認モジュール５１２が、記録メディアに記録された全てのデータ又は指定範囲のデータの記録品位を検出し、低品位データ管理モジュール５１４が、低品位記録データに関する情報を取得する（ＳＴ１３）。
【００３９】
図１３は、上記したＳＴ１３の記録品位チェックの一例を示すフローチャートである。図１３に示すように、記録品位確認モジュール５１２は、所定記録単位で記録データのエラーレートを測定する（ＳＴ６１、ＹＥＳ）（ＳＴ６２）。例えば、記録品位確認モジュール５１２は、ＥＣＣ（エラー訂正コード）ブロック等の記録単位でエラーレートを測定する。低品位データ管理モジュール５１４は、閾値（以下、第２エラーレートと称する）を記憶し、第２エラーレート以上の第２低品位記録データに関する情報を低品位管理情報（図１４参照）に登録する（ＳＴ６３、ＹＥＳ）（ＳＴ６４）。低品位管理情報は、第２エラーレート以上の第２低品位記録データの記録位置を示すアドレスと第２低品位記録データのエラーレートとを対応付けた情報である。
【００４０】
なお、上記した第２エラーレートの値に応じて、低品位管理情報の登録数が大きく変わる可能性がある。このため、第２エラーレートの値を小さく設定する場合は、低品位管理情報を管理するためのワークメモリのサイズを大きく設定する必要がある。
【００４１】
上記した第２エラーレートを用いて、第２低品位記録データを抽出する理由は、後続の第１低品位記録データの抽出処理を高速化するためのである。第１低品位記録データは第１エラーレート以上のデータであり、第２低品位記録データは第２エラーレート以上のデータである。また、第２エラーレートは第１エラーレート以下のエラーレートである。例えば、複数の第２低品位記録データが抽出された場合、これら複数の第２低品位記録データのエラーレートを参照すれば、これら複数の第２低品位記録データの中から、第１低品位記録データに該当する記録データを検出することができる。
【００４２】
しかしながら、十分なサイズのワークメモリを確保できない場合には、低品位管理情報を使用せずに２重化記録処理を実行することもできる。低品位管理情報を使用しない第２の２重化記録処理は、図１７に示す通りである。
【００４３】
再び、図３のフローチャートに戻り、第１の２重化記録処理の説明を続ける。
【００４４】
上記したように、低品位管理情報が取得されると（ＳＴ１３）、続いて、エラーレートの指定処理へ移行する（ＳＴ１４）。上記した第２エラーレート以上の第２低品位記録データをそのまま２重化記録処理の対象とすることもできるが、さらに絞り込み、第１エラーレート以上の第１低品位記録データを２重化記録処理の対象とするケースについて説明する。
【００４５】
例えば、エラーレート指定モジュール５１３は、エラーレート指定画面の表示を指示する。これに対応して、モニター２００には、図４に示すような上級ユーザ向けエラーレート指定画面が表示される。或いは、図５に示すような一般ユーザ向けエラーレート指定画面が表示される。上級ユーザ向けエラーレート指定画面を介して、ユーザは、２重化記録対象の下限エラーレート（第１エラーレート）を指定したり、２重化記録対象の下限エラーレート（第１エラーレート）の自動設定を指定したりすることができる。また、一般ユーザ向けエラーレート指定画面を介して、ユーザは、２重化記録条件を指定したり、２重化記録対象の下限エラーレート（第１エラーレート）の自動設定を指定したりすることができる。
【００４６】
なお、エラーレート指定モジュール５１３は、低品位管理情報に登録された第２低品位記録データの先頭アドレス、レングス、エラーレート、及び既に検出されている空きエリアのサイズから、指定可能な下限エラーレート又は指定可能な２重化記録条件を検出することができる。これにより、上級ユーザ向けエラーレート指定画面では、指定可能な下限エラーレートは選択できるが、指定不能な下限エラーレートは選択できなくなる。同様に、一般ユーザ向けエラーレート指定画面では、指定可能な２重化記録条件は選択できるが、指定不能な２重化記録条件は選択できなくなる。
【００４７】
また、上級ユーザ向けエラーレート指定画面又は一般ユーザ向けエラーレート指定画面を介して自動設定が指定されると、低品位管理情報に登録された第２低品位記録データの先頭アドレス、レングス、エラーレート、及び既に検出されている空きエリアのサイズから、最適な下限のエラーレートが自動設定される。例えば、空きエリアを最大限使用するような、下限のエラーレートが自動設定される。換言すれば、第１エラーレート以下の第１低品位記録データのサイズが空きエリアのサイズ以下になるように、第１エラーレートが自動設定される。
【００４８】
エラーレートの指定が完了すると（ＳＴ１４）、２重化記録管理モジュール５１６は、低品位管理情報を参照し、第１エラーレート以上のエラーレートの指定低品位記録データの総サイズを検出する（ＳＴ１５）。２重化記録管理モジュール５１６は、空きエリアの総サイズと指定低品位記録データの総サイズとを比較する。
【００４９】
第１低品位記録データの合計サイズが空きエリアの合計サイズより大きい場合には、２重化記録管理モジュール５１６は、２重化記録不可を通知する（ＳＴ１６、ＮＯ）。これに対応して、エラーレート指定モジュール５１３は、エラーレート指定画面の再表示を指示し、モニター２００には、上級ユーザ向けエラーレート指定画面又は一般ユーザ向けエラーレート指定画面が表示される。ユーザは、これら画面（エラーレート変更要求画面）を介して、より高いエラーレートを指定するか、或いは自動設定を指定する。
【００５０】
第１低品位記録データの合計サイズが空きエリアの合計サイズ以下になれば、２重化記録管理モジュール５１６は、２重化記録を許可する（ＳＴ１６、ＹＥＳ）。２重化記録モジュール５１５は、第１低品位記録データに含まれたエラーをエラー訂正コードで訂正し、第１低品位記録データに対応したエラー訂正済み記録データ（つまり高品位記録データ）を空きエリアに記録する（ＳＴ１７）。
【００５１】
さらに、２重化記録管理モジュール５１６は、２重化登録情報（図１０参照）を生成し、２重化登録情報を空きエリアに記録する。２重化登録情報（記録管理情報）は、第１低品位記録データの記録位置のアドレス（置換え元アドレス）と、第１低品位記録データに対応したエラー訂正済み記録データの記録位置のアドレス（置換え先アドレス）との対応付け情報を含む。
【００５２】
なお、上記したように、空きエリアに対して、エラー訂正済み記録データ（以下、２重化記録データとも称する）と２重化登録情報とを別々に記録してもよいし、２重化記録データと２重化登録情報とを含む１ファイルを記録してもよい。１ファイルで記録する場合、例えば、２重化登録情報をこの１ファイルのヘッダ情報とし、２重化記録データをこの１ファイルの本体情報として記録するようにしてもよい。
【００５３】
また、記録メディアに記録される規格ファイルを管理するファイルシステムで、２重化記録のファイルを管理することができる。或いは、図１２に示すように、別の方法で、２重化記録のファイルを管理するようにしてもよい。２重化登録情報の領域と２重化記録データの領域は、２つのエクステント管理テーブルで管理される。エクステント管理テーブルは、ＬＡＳＴアドレスから所定長（Ｌ）のエリアに確保される。このエクステント管理テーブルを参照し、２重化登録情報及び２重化記録データにアクセスすることが可能となる。これにより、リードエラー等でファイルシステムから２重化登録情報及び２重化記録データにアクセスできなくなるような状況でも、エクステント管理テーブルから２重化登録情報及び２重化記録データにアクセスすることが可能となる。
【００５４】
上記したように、２重化記録データと２重化登録情報とが記録されると（ＳＴ１７）、ファイナライズモジュール５１７は、通常のファイナライズを実行する（ＳＴ１８）。一般的に、ファイナライズは、ＤＶＤ−ＲＷ及びＤＶＤ−Ｒに対する記録処理において実行される。ファイナライズは、ＤＶＤ−ＲＡＭ等のランダムアクセスメディアでは不要であるが、例えば、ランダムアクセスメディアの記録内容を固定化する際に、上記した２重化記録処理を実行することができる。
【００５５】
また、２重化記録データと２重化登録情報とを記録した後、劣化チェックモジュール５１８が、本来の記録エリアから第１低品位記録データを読み出し、第１低品位記録データのエラーレートをチェックし、第１低品位記録データのエラーレートが特に高い場合には、警告を指示する。これに対応して、モニター２００が、警告を表示する。
【００５６】
次に、図８を参照し、２重化記録処理が適用されていない記録メディアの再生処理を説明する。再生／ダビング制御モジュール５１９は、記録メディアに再生データがあるか否かをチェックし（ＳＴ４１）、再生データがある場合は（ＳＴ４１、ＹＥＳ）、記録メディアから再生データをリードし（ＳＴ４２）、正しく再生データをリードすることができれば（ＳＴ４３、ＹＥＳ）、リードデータはデコーダへ転送され再生される（ＳＴ４４）。再生／ダビング制御モジュール５１９は、正しく再生データをリードすることができなければ（ＳＴ４３、ＮＯ）、再生不能と判断し、再生処理は終了する。或いは、再生／ダビング制御モジュール５１９は、正しく再生データをリードすることができなくても、再生データがなくなるまで又は再生停止が指示されるまで、さらに再生を継続する。但しこの場合ブロックノイズなどの画面の乱れ又は音声の乱れが発生する可能性がある。
【００５７】
次に図９を参照し、２重化記録処理が適用された記録メディアの再生処理を説明する。再生／ダビング制御モジュール５１９は、記録メディアから２重化登録情報（図１０参照）を読み込む（ＳＴ５１）。再生／ダビング制御モジュール５１９は、２重化登録情報に登録された置換え元アドレスから（ＳＴ５２、ＹＥＳ）、第１低品位記録データを読み込み（ＳＴ５３）、リードエラーが発生した場合には（ＳＴ５４、ＹＥＳ）、図１１に示すように、再生／ダビング制御モジュール５１９は、再生不能場所置換え管理情報に、置換え元アドレスと置換え先アドレスとを対応付けて登録する（ＳＴ５５）。このようにして、２重化登録情報に登録された全ての置換え元アドレスの第１低品位記録データの読み出し状況をチェックする。なお、第１低品位記録データの読み出しにおいてリードエラーが発生しなければ（ＳＴ５４、ＮＯ）、再生不能場所置換え管理情報に、置換え元アドレスは登録されない。以上により、再生不能場所置換え管理情報に、読み込み不能な第１低品位記録データの置換え元アドレスが登録される。
【００５８】
再生／ダビング制御モジュール５１９は、再生データがなくなるまで、再生不能場所置換え管理情報を参照して、データをリードし（ＳＴ５６、ＳＴ５７、ＳＴ５８、ＳＴ５９）、リードエラーがなければ（ＳＴ６０、ＹＥＳ）、リードデータをデコーダへ転送する（ＳＴ６１）。つまり、再生不能場所置換え管理情報に登録された置換え元アドレスの第１低品位記録データはリードされず、再生不能場所置換え管理情報に登録された置換え先アドレスの２重化記録データがリードされる。リードエラーが発生した場合は（ＳＴ６０、ＮＯ）、再生を終了してもよいし、ブロックノイズ等の発生を覚悟の上で再生を継続するようにしてもよい。
【００５９】
次に、図６を参照し、２重化記録処理が適用されていない記録メディアのダビング処理を説明する。再生／ダビング制御モジュール５１９は、記録メディアにコピーデータがあるか否かをチェックし（ＳＴ２１）、コピーデータがある場合は（ＳＴ２１、ＹＥＳ）、記録メディアからコピーデータをリードし（ＳＴ２２）、正しくコピーデータをリードすることができれば（ＳＴ２３、ＹＥＳ）、リードデータが別の記録メディアへ書き込まれる（ＳＴ２４）。再生／ダビング制御モジュール５１９は、正しく再生データをリードすることができなければ（ＳＴ２３、ＮＯ）、コピー不能と判断し、ダビング処理は終了する。或いは、再生／ダビング制御モジュール５１９は、正しくコピーデータをリードすることができなくても、そのままリードデータを別の記録メディアへ書き込む。但しこの場合、別の記録メディアを再生した場合に、ブロックノイズなどの画面の乱れ又は音声の乱れが発生する可能性がある。
【００６０】
次に図７を参照し、２重化記録処理が適用された記録メディアのダビング処理を説明する。図９と同様に、事前に、再生不能場所置換え管理情報に、置換え元アドレスと置換え先アドレスとを対応付けて登録してから、ダビング処理を実行することもできるが、ここでは、この事前登録を省略するダビング処理について説明する。
【００６１】
再生／ダビング制御モジュール５１９は、コピーデータがなくなるまで、データをリードし（ＳＴ３１、ＳＴ３２）、リードエラーがなければ（ＳＴ３３、ＮＯ）、リードデータを別の記録メディアへ書き込む（ＳＴ３７）。再生／ダビング制御モジュール５１９は、リードエラーがあれば（ＳＴ３３、ＹＥＳ）、２重化登録情報（図１０）を参照し（ＳＴ３４）、リードエラーのデータに対応した２重化記録データをリードし（ＳＴ３５）、２重化記録データのリードエラーがなければ（ＳＴ３６、ＹＥＳ）、リードした２重化記録データを別の記録メディアへ書き込む（ＳＴ３７）。なお、２重化記録データのリードエラーが発生しても、再生／ダビング制御モジュール５１９は、ブロックノイズ等の発生を覚悟の上で、そのまま２重化記録データを別の記録メディアへ書き込んでもよい。
【００６２】
次に、図１５及び図１６を参照し、劣化チェックについて説明する。図１５は、第１の劣化チェックの一例を示すフローチャートであり、図１６は、第２の劣化チェックの一例を示すフローチャートである。
【００６３】
図１３に示す記録品位チェックを利用して、２重化記録処理が適用されていない記録メディアの劣化をチェックすることができる。これに対して、２重化記録処理が適用された記録メディアは、図１５に示す第１の劣化チェック又は図１６に示す第２の劣化チェックにより劣化をチェックすることができる。
【００６４】
図１５に示すように、劣化チェックモジュール５１８は、２重化登録情報を読み込み（ＳＴ７１）、２重化登録情報に含まれた置換え元アドレスを参照し（ＳＴ７２）、第１低品位記録データを読み込み（ＳＴ７３）、リードエラーが無ければ（ＳＴ７４、ＮＯ）、２重化登録情報に含まれた次の置換え元アドレスを参照し（ＳＴ７２）、次の第１低品位記録データを読み込み（ＳＴ７３）、リードエラーの有無をチェックする（ＳＴ７４）。リードエラーが見つかれば（ＳＴ７４、ＹＥＳ）、例えばバックアップを促す警告メッセージ表示を指示する。これに対応して、モニタ２００には、バックアップを促す警告メッセージが表示される。
【００６５】
或いは、図１６に示すように、劣化チェックモジュール５１８は、２重化登録情報を読み込み（ＳＴ８１）、２重化登録情報に含まれた置換え元アドレスを参照し（ＳＴ８２）、第１低品位記録データを読み込み、第１低品位記録データのエラーレートを測定する（ＳＴ８３）。エラーレートが閾値以下であれば（ＳＴ８４、ＮＯ）、２重化登録情報に含まれた次の置換え元アドレスを参照し（ＳＴ８２）、次の第１低品位記録データを読み込み、次の第１低品位記録データのエラーレートを測定する（ＳＴ８３）。エラーレートが閾値より大きければ（ＳＴ８４、ＹＥＳ）、例えばバックアップを促す警告メッセージ表示を指示する。これに対応して、モニタ２００には、バックアップを促す警告メッセージが表示される。
【００６６】
次に、図１７を参照して、第２の２重化記録処理を説明する。上記したように、第２の２重化記録処理は、低品位管理情報をしようしない記録処理である。図１７に示すように、２重化記録が指定されていなければ（ＳＴ９１、ＮＯ）、つまり、映像記録再生装置１００が、２重化記録を実行しないように設定されていれば、通常のファイナライズ処理が実行される（ＳＴ１００)。この場合、２重化記録処理は実行されない。２重化記録が指定されていれば（ＳＴ９１、ＹＥＳ）、つまり、映像記録再生装置１００が、２重化記録を実行するように設定されていれば、ファイナライズにおいて２重化記録処理が実行される。
【００６７】
上記したように、２重化記録が指定されていれば（ＳＴ９１、ＹＥＳ）、空きエリアサイズ算出モジュール５１１は、記録メディアの残量である空きエリアのサイズを算出する。空きエリアが全く無い場合又は空きエリアのサイズが所定サイズより小さい場合は（ＳＴ９２、ＮＯ）、空きエリアサイズ算出モジュール５１１は、空きエリア不足を通知する。これに対応して、モニタ２００には、空きエリア不足により２重化記録処理が実行できない旨の案内が表示される。この場合、２重化記録処理は実行されず、通常のファイナライズ処理が実行される（ＳＴ１００)。
【００６８】
２重化記録処理のための空きエリアを確保することができる場合には（ＳＴ９２、ＹＥＳ）、エラーレート指定モジュール５１３は、エラーレートの指定を受け取り（ＳＴ９３）、記録品位確認モジュール５１２は、所定記録単位で、記録エリアの記録データのエラーレートを測定し（ＳＴ９４、ＹＥＳ）（ＳＴ９５）、指定エラーレート（つまり第１エラーレート）以上の第１低品位記録データが検出されれば（ＳＴ９６、ＹＥＳ）、検出された第１低品位記録データのサイズを積算する（ＳＴ９７）。
【００６９】
積算された合計サイズ（第１低品位記録データの合計サイズ）が、空きエリアの合計サイズより大きい場合には、２重化記録管理モジュール５１６は、２重化記録不可を通知する（ＳＴ９８、ＮＯ）。これに対応して、エラーレート指定モジュール５１３は、エラーレート指定画面の再表示を指示し、モニター２００には、上級ユーザ向けエラーレート指定画面又は一般ユーザ向けエラーレート指定画面が表示される。ユーザは、これら画面（エラーレート変更要求画面）を介して、より高いエラーレートを指定するか、或いは自動設定を指定する。
【００７０】
積算された合計サイズ（第１低品位記録データの合計サイズ）が、空きエリアの合計サイズ以下になれば、２重化記録管理モジュール５１６は、２重化記録を許可する（ＳＴ９８、ＹＥＳ）。２重化記録モジュール５１５は、第１低品位記録データに含まれたエラーをエラー訂正コードで訂正し、第１低品位記録データに対応したエラー訂正済み記録データ（つまり高品位記録データ）を空きエリアに記録する（ＳＴ９９）。
【００７１】
さらに、２重化記録管理モジュール５１６は、２重化登録情報（図１０参照）を生成し、２重化登録情報を空きエリアに記録する（ＳＴ９９）。２重化登録情報（記録管理情報）は、第１低品位記録データの記録位置のアドレス（置換え元アドレス）と、第１低品位記録データに対応したエラー訂正済み記録データの記録位置のアドレス（置換え先アドレス）との対応付け情報を含む。
【００７２】
上記したように、２重化記録データと２重化登録情報とが記録されると（ＳＴ１７）、ファイナライズモジュール５１７は、通常のファイナライズを実行する（ＳＴ１８）。
【００７３】
以下に、本実施形態をまとめる。
【００７４】
（１）映像記録再生装置１００は、ファイナライズ時に、記録済みエリアに記録された記録データのエラーレートを測定し、第１低品位記録データに対応したエラー訂正済み記録データを空きエリアに記録する。例えば再生時に、第１低品位記録データのリードエラーが発生すると、映像記録再生装置１００は、第１低品位記録データに替えて、空きエリアに記録されたエラー訂正済み記録データを再生する。これにより、ブロックノイズ等を抑制することができる。また、ダビング時に第１低品位記録データのリードエラーが発生すると、映像記録再生装置１００は、第１低品位記録データに替えて、空きエリアに記録されたエラー訂正済み記録データをダビング先へ記録する。
【００７５】
（２）例えば、ディスクの劣化を調べるためには、ディスク全体のデータをリードし、リードデータのエラーレートを測定する。ところが、この方法では、ディスク全体のデータをリードするため、ディスクの劣化調査に比較的長い時間が必要となる。これに対して、映像記録再生装置１００は、２重化登録情報に含まれた置換え元アドレスを参照し、第１低品位記録データの劣化状況をチェックするだけで、ディスク全体のおおよその劣化状況を検出することができる。つまり、高速に劣化状況を検出することができる。
【００７６】
なお、上記した２重記録処理は、記録メディアのフォーマットの際に実行される一次交替処理、又は記録メディアの使用に応じて実行される二次交替処理と併用することができる。一次交替処理とは、記録メディアの記録エリアの中の欠陥セクタに対して論理アドレスを付与せずに、次の正常なセクタへ論理アドレスを付与することにより、欠陥セクタを使用しないようにする処理である。また、二次交替処理とは、記録メディアの記録エリアの中の複数セクタにより構成されるＥＣＣブロックから正しくデータが読み出せない場合に、このＥＣＣブロックを欠陥ブロックと定義し、記録メディアの交替エリアの中の複数セクタにより構成される交替ブロックに対して前記欠陥ブロックのデータを書き移す処理である。この二次交替処理では、欠陥ブロックのアドレスと交替ブロックのアドレスとを対応付けて管理し、欠陥ブロックへのアクセスを交替ブロックへのアクセスへ置き換える。
【００７７】
なお、上記したモジュールとは、ハードウェアで実現するものであっても良いし、ＣＰＵ等を使ってソフトウェアで実現するものであってもよい。
【００７８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７９】
５１…記録再生処理モジュール、５１１…空きエリアサイズ算出モジュール、５１２…記録品位確認モジュール、５１３…エラーレート指定モジュール、５１４…低品位データ管理モジュール、５１５…２重化記録管理モジュール、５１６…２重化記録モジュール、５１７…ファイナライズモジュール、５１８…劣化チェックモジュール、５１９…再生／ダビング制御モジュール
【図１】
2011014189.tif 000003
【図２】
2011014189.tif 000004
【図３】
2011014189.tif 000005
【図４】
2011014189.tif 000006
【図５】
2011014189.tif 000007
【図６】
2011014189.tif 000008
【図７】
2011014189.tif 000009
【図８】
2011014189.tif 000010
【図９】
2011014189.tif 000011
【図１０】
2011014189.tif 000012
【図１１】
2011014189.tif 000013
【図１２】
2011014189.tif 000014
【図１３】
2011014189.tif 000015
【図１４】
2011014189.tif 000016
【図１５】
2011014189.tif 000017
【図１６】
2011014189.tif 000018
【図１７】
2011014189.tif 000019
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
記録メディアに対するファイナライズにおいて、第１エラーレート以上の第１低品位記録データを空きエリアへ記録する情報記録装置であって、
前記記録メディアの記録エリアから記録データを読み出す読出手段と、
所定データ単位で前記記録データのエラーレートを測定する測定手段と、
前記測定手段によるエラーレートの測定結果に基づき前記第１低品位記録データを検出する検出手段と、
前記第１低品位記録データのエラーを訂正し、前記第１低品位記録データに対応したエラー訂正済みデータを前記記録メディアの空きエリアの予備記録位置へ記録し、前記第１低品位記録データの記録位置のアドレスと前記エラー訂正済みデータが記録された前記予備記録位置のアドレスとを対応付けて管理するための記録管理情報を前記空きエリアの管理データ記録位置へ記録する記録手段と、
を備えたことを特徴とする情報記録装置。
【請求項２】
前記測定手段は、前記第１エラーレート以下の第２エラーレートを記憶し、前記第２エラーレート以上の第２低品位記録データの記録位置のアドレスと前記第２低品位記録データのエラーレートとを対応付けた低品位管理情報を生成し、
前記検出手段は、前記低品位管理情報中の前記第２低品位記録データのエラーレートが前記第１エラーレート以上であれば、前記第２低品位記録データを前記第１低品位記録データとして検出する、
ことを特徴とする請求項１に記載の情報記録装置。
【請求項３】
前記測定手段は、前記第２低品位記録データの記録位置のアドレスとサイズと、前記第２低品位記録データのエラーレートとを対応付けた低品位管理情報を生成し、
前記低品位管理情報及び前記空きエリアのサイズに基づき、前記第１エラーレート以下の前記第１低品位記録データのサイズが前記空きエリアのサイズ以下になるように、前記第１エラーレートを設定する設定手段を備えたことを特徴とする請求項２に記載の情報記録装置。
【請求項４】
前記第１エラーレートを選択する選択手段を備えたことを特徴とする請求項１に記載の情報記録装置。
【請求項５】
前記第１低品位記録データのサイズ及び前記空きエリアのサイズの比較結果から、前記空きエリアのサイズが不足する場合に、前記第１エラーレートの変更をユーザに要求する変更手段を備えたことを特徴とする請求項４に記載の情報記録装置。
【請求項６】
前記記録手段は、前記記録メディアの前記第１低品位記録データを第２の記録メディアへ記録する場合、前記記録メディアの前記記録管理情報を参照し、前記第１低品位記録データに対応した前記エラー訂正済みデータを前記第２の記録メディアへ記録することを特徴とする請求項１に記載の情報記録装置。
【請求項７】
前記記録手段は、前記記録メディアの前記第１低品位記録データを第２の記録メディアへ記録する場合であって、前記第１低品位記録データの読み取り結果が所定条件を満たさない場合に、前記記録メディアに記録された前記記録管理情報を参照し、前記第１低品位記録データに対応した前記エラー訂正済みデータを前記第２の記録メディアへ記録することを特徴とする請求項１に記載の情報記録装置。
【請求項８】
前記記録メディアの前記記録管理情報中の前記第１低品位記録データの記録位置のアドレスを参照し、前記第１低品位記録データを読み取り、前記第１低品位記録データの読み取り結果から劣化状況を判定する劣化判定手段を備えたことを特徴する請求項２に記載の情報記録装置。
【請求項９】
記録メディアから記録データを読み取る情報読取装置であって、前記記録メディアは、第１エラーレート以上の第１低品位記録データを蓄積するように構成された第１の記録エリアと、前記第１低品位記録データに対応したエラー訂正済みデータ、及び前記第１低品位記録データが蓄積されている第１記録エリアの第１アドレスと前記エラー訂正済みデータが蓄積されている第２記録エリアの第２アドレスとを対応付けて管理するための記録管理情報を蓄積するように構成された第２記録エリアとを備え、前記情報読取装置は、
前記記録メディアから前記記録管理情報を読み取り、前記記録管理情報に基づき前記第１低品位記録データを読み取り、前記第１低品位記録データの読取結果が所定条件を満たさない場合に、前記第１アドレスを前記第２アドレスへ置き換えるアドレス管理手段と、
前記第２アドレスを利用し、前記記録メディアから記録データを読み取る読取手段と、
を備えたことを特徴とする情報読取装置。
【請求項１０】
記録メディアに対するファイナライズにおいて、第１エラーレート以上の第１低品位記録データを空きエリアへ記録する情報記録方法であって、
前記記録メディアの記録エリアからデータを読み出し、
所定データ単位で前記データのエラーレートを測定し、
前記測定手段によるエラーレートの測定結果に基づき前記第１低品位記録データを検出し、
前記第１低品位記録データのエラーを訂正し、
前記第１低品位記録データに対応するエラー訂正済みデータを前記記録メディアの空きエリアの予備記録位置へ記録し、
前記第１低品位記録データの記録位置のアドレスと前記エラー訂正済みデータが記録された前記予備記録位置のアドレスとを対応付けて管理するための記録管理情報を前記空きエリアの管理データ記録位置へ記録する、
ことを特徴とする情報記録方法。
【手続補正書】
【提出日】平成22年11月8日(2010.11.8)
【手続補正２】
【補正対象書類名】明細書
【補正対象項目名】０００１
【補正方法】変更
【補正の内容】
【０００１】
本発明は、ファイナライズにより記録データを固定化する情報記録装置に関する。
【手続補正３】
【補正対象書類名】明細書
【補正対象項目名】０００７
【補正方法】変更
【補正の内容】
【０００７】
本発明の目的は、長期保存に有効なデータ記録が可能な情報記録装置を提供することにある。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、長期保存に有効なデータ記録が可能な情報記録装置を提供できる。
【手続補正７】
【補正対象書類名】明細書
【補正対象項目名】００７８
【補正方法】変更
【補正の内容】
【００７８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下に、本出願の出願当初の特許請求の範囲に記載された発明を付記する。
［１］
記録メディアに対するファイナライズにおいて、第１エラーレート以上の第１低品位記録データを空きエリアへ記録する情報記録装置であって、
前記記録メディアの記録エリアから記録データを読み出す読出手段と、
所定データ単位で前記記録データのエラーレートを測定する測定手段と、
前記測定手段によるエラーレートの測定結果に基づき前記第１低品位記録データを検出する検出手段と、
前記第１低品位記録データのエラーを訂正し、前記第１低品位記録データに対応したエラー訂正済み記録データを前記記録メディアの空きエリアの予備記録位置へ記録し、前記第１低品位記録データの記録位置のアドレスと前記エラー訂正済み記録データが記録された前記予備記録位置のアドレスとを対応付けて管理した記録管理情報を前記空きエリアの管理データ記録位置へ記録する記録手段と、
を備えたことを特徴とする情報記録装置。
［２］
前記測定手段は、前記第１エラーレート以下の第２エラーレートを記憶し、前記第２エラーレート以上の第２低品位記録データの記録位置のアドレスと前記第２低品位記録データのエラーレートとを対応付けた低品位管理情報を生成し、
前記検出手段は、前記低品位管理情報に含まれた前記第２低品位記録データのエラーレートが前記第１エラーレート以上であれば、前記第２低品位記録データを前記第１低品位記録データとして検出する、
ことを特徴とする［１］に記載の情報記録装置。
［３］
前記測定手段は、前記第２低品位記録データの記録位置のアドレスとサイズと、前記第２低品位記録データのエラーレートとを対応付けた低品位管理情報を生成し、
前記低品位管理情報及び前記空きエリアのサイズに基づき、前記第１エラーレート以下の前記第１低品位記録データのサイズが前記空きエリアのサイズ以下になるように、前記第１エラーレートを決定する決定手段を備えたことを特徴とする［２］に記載の情報記録装置。
［４］
前記第１エラーレートを指定する指定手段を備えたことを特徴とする［１］に記載の情報記録装置。
［５］
前記第１低品位記録データのサイズ及び前記空きエリアのサイズの比較結果から、前記空きエリアのサイズが不足していることが判明した場合に、前記第１エラーレートの変更を要求する要求手段を備えたことを特徴とする［４］に記載の情報記録装置。
［６］
前記記録手段は、前記記録メディアに記録された前記第１低品位記録データを別の記録メディアへ記録する場合、前記記録メディアに記録された前記記録管理情報を参照し、前記第１低品位記録データに対応した前記エラー訂正済み記録データを前記別の記録メディアへ記録することを特徴とする［１］に記載の情報記録装置。
［７］
前記記録手段は、前記記録メディアに記録された前記第１低品位記録データを別の記録メディアへ記録する場合であって、前記第１低品位記録データの読み取り結果が所定条件を満たさない場合に、前記記録メディアに記録された前記記録管理情報を参照し、前記第１低品位記録データに対応した前記エラー訂正済み記録データを前記別の記録メディアへ記録することを特徴とする［１］に記載の情報記録装置。
［８］
前記記録メディアに記録された前記記録管理情報に含まれた前記第１低品位記録データの記録位置のアドレスを参照し、前記第１低品位記録データを読み取り、前記第１低品位記録データの読み取り結果から劣化状況を判定する劣化判定手段を備えたことを特徴する［２］に記載の情報記録装置。
［９］
記録メディアの第１記録エリアは、第１エラーレート以上の第１低品位記録データを含み、前記記録メディアの第２記録エリアは、前記第１低品位記録データに対応したエラー訂正済み記録データを含み、さらに前記第２記録エリアは、前記第１低品位記録データが記録された第１記録エリアの第１アドレスと前記エラー訂正済み記録データが記録された第２記録エリアの第２アドレスとを対応付けて管理した記録管理情報を含み、前記記録メディアから記録データを読み取る情報読取装置であって、
前記記録メディアから前記記録管理情報を読み取り、前記記録管理情報に基づき前記第１低品位記録データを読み取り、前記第１低品位記録データの読取結果が所定条件を満たさない場合に、前記第１アドレスを前記第２アドレスへ置き換えて管理するアドレス管理手段と、
前記記録メディアから記録データを読み取る際に、前記アドレス管理手段により置き換え管理された前記第２アドレスを利用し、前記記録メディアから記録データを読み取る読取手段と、
を備えたことを特徴とする情報読取装置。
［１０］
記録メディアに対するファイナライズにおいて、第１エラーレート以上の第１低品位記録データを空きエリアへ記録する情報記録方法であって、
前記記録メディアの記録エリアから記録データを読み出し、
所定データ単位で前記記録データのエラーレートを測定し、
前記測定手段によるエラーレートの測定結果に基づき前記第１低品位記録データを検出し、
前記第１低品位記録データのエラーを訂正し、
前記第１低品位記録データに対応するエラー訂正済み記録データを前記記録メディアの空きエリアの予備記録位置へ記録し、
前記第１低品位記録データの記録位置のアドレスと前記エラー訂正済み記録データが記録された前記予備記録位置のアドレスとを対応付けて管理した記録管理情報を前記空きエリアの管理データ記録位置へ記録する、
ことを特徴とする情報記録方法。
【手続補正８】
【補正対象書類名】特許請求の範囲
【補正対象項目名】全文
【補正方法】変更
【補正の内容】
【特許請求の範囲】
【請求項１】
記録メディアに対するファイナライズにおいて、第１エラーレート以上の第１低品位記録データを空きエリアへ記録する情報記録装置であって、
前記記録メディアの記録エリアから記録データを読み出す読出手段と、
所定データ単位で前記記録データのエラーレートを測定する測定手段と、
前記測定手段によるエラーレートの測定結果に基づき前記第１低品位記録データを検出する検出手段と、
前記第１低品位記録データのエラーを訂正し、前記第１低品位記録データに対応したエラー訂正済みデータを前記記録メディアの空きエリアの予備記録位置へ記録し、前記第１低品位記録データの記録位置のアドレスと前記エラー訂正済みデータが記録された前記予備記録位置のアドレスとを対応付けて管理するための記録管理情報を前記空きエリアの管理データ記録位置へ記録する記録手段と、
を備え、
前記測定手段は、前記第１エラーレート以下の第２エラーレートを記憶し、前記第２エラーレート以上の第２低品位記録データの記録位置のアドレスと前記第２低品位記録データのエラーレートとを対応付けた低品位管理情報を生成し、
前記検出手段は、前記低品位管理情報中の前記第２低品位記録データのエラーレートが前記第１エラーレート以上であれば、前記第２低品位記録データを前記第１低品位記録データとして検出する、
ことを特徴とする情報記録装置。
【請求項２】
前記測定手段は、前記第２低品位記録データの記録位置のアドレスとサイズと、前記第２低品位記録データのエラーレートとを対応付けた低品位管理情報を生成し、
前記低品位管理情報及び前記空きエリアのサイズに基づき、前記第１エラーレート以下の前記第１低品位記録データのサイズが前記空きエリアのサイズ以下になるように、前記第１エラーレートを設定する設定手段を備えたことを特徴とする請求項１に記載の情報記録装置。
【請求項３】
前記記録メディアの前記記録管理情報中の前記第１低品位記録データの記録位置のアドレスを参照し、前記第１低品位記録データを読み取り、前記第１低品位記録データの読み取り結果から劣化状況を判定する劣化判定手段を備えたことを特徴する請求項１に記載の情報記録装置。